(57)【要約】【課題】どのような電気装置が交流電力線に接続されているかを監視可能な技術を提供すること。【解決手段】蓄電手段を備える電気装置が接続可能な複数の接続ポートが設けられた交流電力線に接続される管理装置であって、前記交流電力線上の電気信号を計測する計測手段と、前記計測手段の計測結果に基づいて、前記接続ポートを介して前記交流電力線に接続されている前記電気装置の種類を判別する判別手段と、を備える、ことを特徴とする。【選択図】図１
2019165585.tif 000002
【特許請求の範囲】
【請求項１】
蓄電手段を備える電気装置が接続可能な複数の接続ポートが設けられた交流電力線に接続される管理装置であって、
前記交流電力線上の電気信号を計測する計測手段と、
前記計測手段の計測結果に基づいて、前記接続ポートを介して前記交流電力線に接続されている前記電気装置の種類を判別する判別手段と、を備える、
ことを特徴とする管理装置。
【請求項２】
請求項１に記載の管理装置であって、
前記判別手段の判別結果に基づいて、前記交流電力線における電力需要量を予測する予測手段を更に備える、
ことを特徴とする管理装置。
【請求項３】
請求項１に記載の管理装置であって、
前記判別手段の判別結果に基づいて、前記交流電力線における電力供給量を予測する予測手段を更に備える、
ことを特徴とする管理装置。
【請求項４】
請求項１に記載の管理装置であって、
各々の前記接続ポートに設けた信号送信手段から送信される、該接続ポートを識別する識別信号に基づいて、前記判別手段で種類を判別した前記電気装置と、該電気装置が接続されている前記接続ポートとの対応関係を特定する特定手段を更に備える、
ことを特徴とする管理装置。
【請求項５】
請求項１に記載の管理装置であって、
前記管理装置は、前記接続ポートに脱着可能である、
ことを特徴とする管理装置。
【請求項６】
請求項１に記載の管理装置であって、
前記判別手段は、前記電気装置の種類として電動車両を判別可能である、
ことを特徴とする管理装置。
【請求項７】
請求項１に記載の管理装置であって、
前記判別手段は、前記交流電力線上の交流電圧又は交流電流の少なくともいずれか一方に基づいて、前記電気装置の種類を推定する、
ことを特徴とする管理装置。
【請求項８】
蓄電手段を備える電気装置が接続可能な複数の接続ポートを有する交流電力線上の電気信号を計測する計測工程と、
前記計測工程の計測結果に基づいて、前記接続ポートを介して前記交流電力線に接続されている前記電気装置の種類を判別する判別工程と、を備える、
ことを特徴とする方法。
【発明の詳細な説明】
【技術分野】
【０００１】
本発明は電力環境の管理技術に関する。
【背景技術】
【０００２】
電力の自由化により、電力の売買を考慮した様々な電力の管理システムが提案されている。特許文献１には住宅用の電力供給システムが開示されており、特に、蓄電池に蓄電された電力量とその供給源の種類とを管理するシステムが開示されている。
【先行技術文献】
【特許文献】
【０００３】
【特許文献１】特開２０１１−０８３０５８号公報
【発明の概要】
【発明が解決しようとする課題】
【０００４】
ところで、電気自動車や電動二輪車といった電動車両や、ポータブル発電機やポータブルバッテリといった可搬式電力供給装置等の電力装置は、ＶＰＰ（バーチャルパワープラント）を構成するエネルギリソースとして機能することができる。このような電力装置は移動可能であるため、不特定の場所においてエネルギリソースとして機能し得る一方、交流電力線に対する接続状況が絶えず変化する。よって、どのような電力装置が交流電力線に接続されているかを監視できれば、電力装置間の需給関係の特定や、電力の需給予測などに活用でき、電力の運用上の利便性が向上する。
【０００５】
本発明の目的は、どのような電気装置が交流電力線に接続されているかを監視可能な技術を提供することにある。
【課題を解決するための手段】
【０００６】
本発明によれば、
蓄電手段を備える電気装置が接続可能な複数の接続ポートが設けられた交流電力線に接続される管理装置であって、
前記交流電力線上の電気信号を計測する計測手段と、
前記計測手段の計測結果に基づいて、前記接続ポートを介して前記交流電力線に接続されている前記電気装置の種類を判別する判別手段と、を備える、
ことを特徴とする管理装置が提供される。
【０００７】
また、本発明によれば、
蓄電手段を備える電気装置が接続可能な複数の接続ポートを有する交流電力線上の電気信号を計測する計測工程と、
前記計測工程の計測結果に基づいて、前記接続ポートを介して前記交流電力線に接続されている前記電気装置の種類を判別する判別工程と、を備える、
ことを特徴とする方法が提供される。
【発明の効果】
【０００８】
本発明によれば、どのような電気装置が交流電力線に接続されているかを監視可能な技術を提供することができる。
【図面の簡単な説明】
【０００９】
【図１】管理システムの概要図。
【図２】本発明の一実施形態に係る管理装置の処理例を示すフローチャート。
【図３】別例の管理システムの概要図。
【図４】図３の実施形態における管理装置の処理例を示すフローチャート。
【図５】別例の管理システムの概要図。
【図６】別例の管理システムの概要図。
【図７】別例の管理システムの概要図。
【図８】図７の実施形態における管理装置の処理例を示すフローチャート。
【発明を実施するための形態】
【００１０】
＜第一実施形態＞
＜システムの構成＞
図１は管理システム１の概要図である。管理システム１は、交流電力線２に接続される電気装置５〜８を、管理装置４で監視するシステムである。交流電力線２は、電力系統に接続され、交流電力が送電される。交流電力線２は、例えば、比較的狭い地域でクローズした電力網を構成することができる。比較的狭い地域とは、例えば、市町村の一単位、公園、公共施設、集合住宅等の一区画である。区画間の電力の送電、受電をアグリゲータが管理してもよい。クローズした交流電力線２と電力系統との間にはその断続を行う回路が介在してもよい。
【００１１】
交流電力線２には、電気装置５〜８が脱着自在に接続可能な複数の接続ポート３が設けられている。接続ポート３は、電気装置５〜８と交流電力線２とを電気的に接続するケーブル及びコネクタを少なくとも含む。本実施形態の場合、接続ポート３は、主に電気装置５〜８と交流電力線２との電気接続を行うものであり、接続ポート３が充放電回路を備えない、比較的簡素な構成とされている。しかし、接続ポート３には、電気装置５〜８の過充電や過放電を防止する保護回路を設けることが可能である。
【００１２】
電気装置５〜８は、接続ポート３に接続可能な電気装置の一例として図示されている。接続ポート３に接続可能な電気装置の種類や数はこれに限られない。電気装置５及び６はいずれも可搬式電力供給装置であり、電気装置５及び６に接続される各種の電気負荷に電力を供給する装置である。電気負荷とは、例えば、ホットプレート、ケトル、電子レンジ、グリル、ミキサー、エアコン、テレビ、照明器具、ドライヤ電動工具、大型照明装置、コンプレッサー等を挙げることができる。
【００１３】
電気装置５は、発電機５ｃを備えたポータブル発電機であり、電気装置６は発電機を備えないポータブルバッテリである。発電機５ｃは例えば、ガソリンエンジンの駆動力により発電するエンジン発電機である。電気装置５は蓄電池５ａを、電気装置６は蓄電池６ａをそれぞれ備える。蓄電池５ａ及び６ａは、例えばリチウムイオンバッテリ等の二次電池である。電気装置５は、発電機５ｃで発電した電力を蓄電池５ａに蓄えることができる。発電機５ｃの燃料が無くなった後も、蓄電池５ａに蓄えられている電力を電気負荷に供給可能となる。
【００１４】
電気装置５は回路５ｂを、電気装置６は回路６ｂをそれぞれ備える。回路５ｂ、回路６ｂは充放電回路を含む。充放電回路は、ＡＣ／ＤＣ変換回路、ＤＣ／ＤＣ変換回路、インバータ回路等を含む。回路５ｂの充放電回路は、交流電力線２の電力を直流電力に変換して蓄電池５ａを充電する機能や蓄電池５ａに蓄えられた直流電力を交流電力に変換して交流電力線２上に送電する機能を有する。回路５ｂの充放電回路は、発電機５ｃが発電した電力を交流電力線２上に送電する機能を有していてもよい。回路６ｂの充放電回路は、交流電力線２の電力を直流電力に変換して蓄電池６ａを充電する機能や蓄電池６ａに蓄えられた直流電力を交流電力に変換して交流電力線２上に送電する機能を有する。
【００１５】
電気装置７及び８はいずれも電動車両である。電気装置７は例えば電動自動車（四輪車）、ハイブリッド自動車であり、電気装置８は電動二輪車である。電気装置７は蓄電池７ａを、電気装置８は蓄電池８ａをそれぞれ備える。蓄電池７ａ及び８ａは、例えばリチウムイオンバッテリ等の二次電池である。
【００１６】
電気装置７は回路７ｂを、電気装置８は回路７ｂをそれぞれ備える。回路７ｂ、回路８ｂは充放電回路を含む。充放電回路は、ＡＣ／ＤＣ変換回路、ＤＣ／ＤＣ変換回路、インバータ回路等を含む。回路７ｂの充放電回路は、交流電力線２の電力を直流電力に変換して蓄電池７ａを充電する機能や蓄電池７ａに蓄えられた直流電力を交流電力に変換して交流電力線２上に送電する機能を有する。同様に、回路８ｂの充放電回路は、交流電力線２の電力を直流電力に変換して蓄電池８ａを充電する機能や蓄電池８ａに蓄えられた直流電力を交流電力に変換して交流電力線２上に送電する機能を有する。
【００１７】
電気装置５〜８を接続ポート３に接続し、蓄電池５ａ〜８ａを充電又は放電させるかは、装置のユーザーが電気装置５〜８の設定を切り替えることで選択可能であってもよい。
【００１８】
＜管理装置＞
管理装置４は本実施形態の場合、接続ポート３に脱着自在に接続される可搬式の管理装置４であるが、固定的に設置される据え置き式の装置であってもよい。管理装置４が可搬式であることにより、交流電力線２及び複数の接続ポート３を備えた別の電力網において、管理装置４を利用することも可能である。管理装置４の駆動電力は交流電力線２から給電してもよい。
【００１９】
管理装置４は、制御回路４０、計測回路４４及び表示装置４５を含む。制御回路４０は、処理部４１、記憶部４２及びＩ／Ｆ（インタフェース）部４３を含む。処理部４１は、ＣＰＵに代表されるプロセッサであり、記憶部４２に記憶されたプログラムを実行する。記憶部４２は、ＲＡＭ、ＲＯＭ、ハードディスクなどの記憶デバイスである。記憶部４２には、処理部３１が実行するプログラムの他、各種のデータが格納される。Ｉ／Ｆ部４２は、外部デバイスと処理部４１との信号の送受信を中継する。
【００２０】
計測回路４４は、電流センサ及び電圧センサを含み、交流電力線２上の交流電力線上の電気信号（ここでは交流電圧及び交流電流）を計測して計測結果を制御回路４０へ出力する。表示装置４５は管理装置４のユーザ（例えば管理者）に情報を表示する装置であり、例えば、液晶表示装置等の画像表示装置である。
【００２１】
次に、図１に加えて図２を参照して管理装置４の処理例について説明する。図２は管理装置４の処理部４１が実行する処理の例を示すフローチャートである。Ｓ１では計測回路４４で交流電力線２上の電気信号を計測し、その計測結果を取得する。計測データは記憶部４２に順次蓄積されてもよい。Ｓ２では計測回路４４の計測結果に基づき、接続ポート３を介して交流電力線２接続されている電気装置５〜８の種類を判別する。種類とは、電気装置５〜８の機種であってもよいし、ポータブル発電機、ポータブルバッテリ、自動車、二輪車といった、より上位の属性の種類であってもよい。
【００２２】
判別の方法に関し、例えば、電気装置５〜８が交流電力線２から受電又は交流電力線２へ送電する場合、交流電力線２上に現れる、電気装置５〜８の種類（蓄電容量や電気回路の特性）に特徴づけられる電力波形又は電圧波形に着目する手法を挙げることができる。その特徴量により、接続されている電気装置５〜８の種類を推定することで判別することができる場合がある。
【００２３】
特徴量は、例えば、皮相電力、力率或いはノイズである。力率は有効電力を皮相電力で除算することで得られるか、電圧と電流との位相差の余弦（ｃｏｓθ）として求められる。後者の場合、計測回路４４は位相差θを計測する。さらに、特徴量は、電気装置５〜８の受電又は送電が開始されてから波形が安定するまでの時間や、電気装置５〜８の受電又は送電が開始されるときの電流のピーク値等であってもよい。
【００２４】
本実施形態の場合、複数の電気装置５〜８が交流電力線２に接続される場合があることから、各電気装置の電力波形が交流電力線２上の電力波形に重ね合される。そのため、電気装置５〜８の個別の特徴量と、複数の電気装置５〜８が接続される組合せ毎の特徴量とから電気装置の種類を推定してもよい。この場合、電気装置５〜８の種類或いは組合せとそれらの特徴量との関係を特徴量マップ４２ａとして予めデータ化しておき、この特徴量マップ４２ａと、計測回路４４で計測された特徴量とを比較することで電気装置５〜８の種類や受電又は送電（つまり、蓄電池５ａ〜８ａの充電又は放電）を推定することができる。電気装置５〜８の種類や受電又は送電の判別は、この他、公知の機器分離技術を適用或いは応用することで可能である。
【００２５】
Ｓ３ではＳ２での判別結果に基づいて接続情報４２ｂを更新する。接続情報４２ｂは記憶部４２に格納される。図示の例において、「種類」には電気装置５〜８の判別結果が蓄積される。「充放電」とは、受電（充電）と送電（放電）の別が蓄積される。「時間帯」には電気装置５〜８が接続ポート３に接続されて受電又は送電していた接続時間帯（例えば９時〜１３時等）が蓄積される。接続情報４２ｂの内容は表示装置４５に表示して管理者に報知することが可能である。以上により、一回の処理が終了する。
【００２６】
接続情報４２ｂの活用例としては以下の例がある。まず、電力装置間での電力の授受の関係を特定することが可能となる。例えば、図１の例では矢印で示すように、電気装置６が充電、電気装置５、７、８が放電である状態が想定されている。接続情報４２ｂを参照することで、電気装置６に対する電力の出所を、電気装置５、７、８であると特定することができる。電気装置５、７、８の種類の判別結果をユーザーと紐づけることでユーザーを特定すること、或いは、絞り込むことが可能となる。これは、例えば、電力の提供者である電気装置５、７、８のユーザーに対しては何らかのインセンティブを付与する一方、電力の需要者である電気装置６のユーザーに対しては対価を請求する場合に役立つ情報となる。
【００２７】
次に、電気装置５〜８の種類が判別された結果、蓄電池５ａ〜８ａの容量が推定される。電動車両やポータブル発電機、或いは、ポータブルバッテリの蓄電容量は様々ではあるものの、ある程度の範囲には収まるからこれらの各蓄電量を一般的な代表値とみなして取り扱うことが可能である。なお、一般的な大小関係の例としては、蓄電池７ａ（四輪車）＞蓄電池８ａ（二輪車）＞蓄電池６ａ（ポータブルバッテリ）＞蓄電池５ａ（ポータブル発電機）となることを挙げることができる。
【００２８】
蓄電池５ａ〜８ａの容量が推定されることで、需給バランスの調整を図ることができる。例えば、図１で例示したように電気装置６が充電、電気装置５、７、８が放電である状態では電気装置６に対する給電量は十分に賄えると予想できる。逆に、電気装置７が充電、電気装置５のみが放電である状態では、電気装置７に対する給電量が不十分となる可能性がある。この場合、管理者は何らかの方法で交流電力線２に送電を行う等の対策を講じることができる。
【００２９】
また、別の活用例として、電気装置５〜８の種類に対応した蓄電量の代表値を目安として、交流電力線２に接続されているエネルギリソースの規模の推定に利用することができる。更に、受電（充電）と送電（放電）の別が特定されることで、交流電力線２に接続されているエネルギリソースの需給予測が可能となる。例えば、接続されている電気装置が全て充電に用いられている場合、その後に、各電気装置の蓄電量の６０％程度の電力需要（充電量）が生じると予測することができる。逆に、接続されている電気装置が全て充電に用いられている場合、その後に、各電気装置の蓄電量の６０％程度の電力需要（充電量）が生じると予測することができる。
【００３０】
このように本実施形態では、どのような電気装置５〜８が交流電力線２に接続されているかを監視することができ、その判別結果を様々な用途に利用可能である。管理装置４は接続ポート３に脱着可能であり、また、接続ポート３が簡易な構成であるため、管理システム１の構築が比較的容易である。とりわけ、電気装置５〜８の種類を判別する機能を個々の接続ポート３には持たないことで、接続ポート３の複雑化を回避してその設置を簡易なものとすることができる。
【００３１】
＜第二実施形態＞
第一実施形態では、どの接続ポート３にどの電気装置５〜８が接続されているかを特定することはできない。本実施形態では、これを可能とする構成例について説明する。図３は本実施形態における管理システム１の概要図である。第一実施形態と異なる点について説明する。
【００３２】
本実施形態の場合、各接続ポート３にはＰＬＣ（パワー・ライン・コミュニケーション）ユニット９が設けられている。ＰＬＣユニット９は、ＰＬＣ制御回路と９ａと計測回路９ｂとを含む。計測回路９ｂは、接続ポート３を流れる交流電流及び交流電圧を計測する。ＰＬＣ制御回路９ａは、計測回路９ｂの計測結果に基づいて、接続ポート３に電気装置５〜８が接続されているか否かを判定する。そして、電気装置５〜８が接続されていると判定した場合は、接続ポート３の識別信号を交流電力線２上の交流電力信号に重畳する。重畳する識別信号は、例えば、数十ＭＨｚの周波数の高周波信号である。識別信号は、接続ポート３に電気装置５〜８が接続されていると判定した時と、接続が解除されたと判定した時に送信されてもよい。また、接続中、周期的に送信されてもよい。
【００３３】
管理装置４の計測回路４４には、交流電力線２上の交流電力信号を、電力信号と識別信号とに分離するフィルタ４４ａが含まれる。フィルタ４４ａで分離された電力信号は電気装置の種類の判別に用い、識別信号は接続ポート３の特定に用いられる。本実施形態の場合、接続情報４２ｂには識別信号から特定された接続ポート３の情報（「接続ポート」）が追加されている。同図の例の場合、接続ポート”Ａ”に二輪車が接続されていることが示されている。
【００３４】
図４は本実施形態において管理装置４の処理部４１が実行する処理の例を示すフローチャートである。Ｓ１１、Ｓ１２の処理は図２に示したＳ１、Ｓ２の処理と同様の処理である。つまり、Ｓ１１では計測回路４４で交流電力線２上の電気信号を計測し、その計測結果を取得する。Ｓ１２では計測回路４４の計測結果（電力信号）に基づき、接続ポート３を介して交流電力線２接続されている電気装置５〜８の種類を判別する。Ｓ１３では計測回路４４の計測結果（識別信号）に基づき、Ｓ１２で判別した種類の電気装置が接続されている接続ポート３を特定する。特定の例としては、例えば、識別信号の受信の前後の所定時間内に、Ｓ１２の種類の判別の結果、新たな電気装置の接続が確認された場合、その電気装置はその識別信号で特定される接続ポート３に接続されていると特定することができる。Ｓ１４ではＳ１２、Ｓ１３の結果に基づいて接続情報４２ｂを更新する。以上により一回の処理が終了する。
【００３５】
本実施形態によれば、接続ポート３と電気装置５〜８との接続関係を特定できるため、例えば、接続されている電気装置５〜８のユーザーの特定が容易になる。また、需給バランスの調整を図る際に、接続されている電気装置５〜８の充放電設定を変更する等の措置が取りやすくなる。
【００３６】
なお、計測回路９ｂが接続ポート３を流れる電力量を計測する機能を有していてもよい。そして、計測した電力量の情報を識別信号に含めてもよい。これにより、管理装置４において電気装置５〜８の充放電量も特定することが可能となる。
【００３７】
＜第三実施形態＞
第二実施形態では接続ポート３にＰＬＣユニット９を設けたが、電気装置５〜８がＰＬＣ制御回路を備えていてもよい。図５はその一例を示す管理システム１の概要図である。同図の例では電動自動車又はハイブリッド自動車である電気装置７がＰＬＣ制御回路７ｃを備えている。ＰＬＣ制御回路７ｃは、電気装置７の種類と充放電の別を示す識別信号を交流電力線２上の交流電力信号に重畳する。
【００３８】
管理装置４では、フィルタ４４ａにおいて分離された識別信号から、電気装置７の種類と充放電の別を判別する。本実施形態の場合、交流電力線２上の電気信号で電気装置の種類を判別する点では第一及び第二実施形態と同じではあるが、第一及び第二実施形態のように、電力信号から電気装置の種類を判別する必要はない。識別信号から電気装置の種類を判別できるからである。
【００３９】
＜第四実施形態＞
本実施形態では、通信ネットワークを用いて各接続ポート３を流れる電力量の情報を管理装置４が取得する例について説明する。図６は本実施形態の管理システム１の概要図である。本実施形態の場合、各接続ポート３にはスマートメータ１０が設けられている。スマートメータ１０は、接続ポート３を流れる電力量を計測する計測回路を備えると共に、計測結果を含む識別信号をＬＡＮ１１を介して管理装置４へ送信する通信回路を備える。スマートメータ１０には固有の識別子が設定されており、識別信号はこの識別子の情報と計測結果を含む。これにより、どの接続ポート３に接続されている電力装置５〜８の電力量（充放電量）かを特定することができる。
【００４０】
管理装置４はＬＡＮ１１を介してスマートメータ１０から識別信号を受信する通信回路４６を備えている。ＬＡＮ１１には、接続ポート３毎に接続ポート１２が設けられている。本実施形態も管理装置４は接続ポート３に脱着可能であるが、その接続の際に接続ポート１２にも接続することで通信回路４６がＬＡＮ１１を介してスマートメータ１０と通信可能となる。なお、ここでは有線通信を例示するが無線通信であってもよい。
【００４１】
このような構成により、管理装置４は交流電力線２上の電気信号（電力信号）から、接続ポート３に接続されている電気装置５〜８の種類を判別し、また、スマートメータ１０から送信される識別信号から、その電気装置が接続されている接続ポート３と電力量とを特定する。特定の例としては、例えば、識別信号の受信の前後の所定時間内に、電気装置の種類の判別の結果、新たな電気装置の接続が確認された場合、その電気装置はその識別信号で特定される接続ポート３に接続されていると特定することができる。本実施系形態によれば、接続情報４２ｂには、図３の例において、更に、充放電量の情報を蓄積することができる。
【００４２】
＜第五実施形態＞
管理装置４で生成した情報をＶＰＰ（バーチャルパワープラント）のアグリゲータに提供してもよい。図７は本実施形態の管理システム１の概要図である。図１の構成例と異なる構成について説明する。本実施形態の管理装置４は通信回路４７を備える。通信回路４７はインターネット等の通信ネットワーク１３を介してアグリゲータ１４と情報通信を行う無線通信装置である。アグリゲータ１４は例えばサーバコンピュータである。
【００４３】
図８は本実施形態の管理装置４の処理部４１が実行する処理の例を示すフローチャートである。Ｓ２１〜Ｓ２３の処理は図２に示したＳ１〜Ｓ３の処理と同様の処理である。つまり、Ｓ２１では計測回路４４で交流電力線２上の電気信号を計測してその計測結果を取得し、Ｓ２２では計測回路４４の計測結果（電力信号）に基づき、接続ポート３を介して交流電力線２接続されている電気装置５〜８の種類を判別する。Ｓ２３ではＳ２２の結果に基づいて接続情報４２ｂを更新する。
【００４４】
Ｓ２４は予測タイミングが到来したか否かを判定する。予測タイミングが到来した場合はＳ２５へ進み、到来していない場合は一回の処理を終了する。予測タイミングは、例えば、３０分毎のように周期的なタイミングとすることができる。予測タイミングは、また、例えば、特定の時刻（９時、１１時、１３時、１５時、１７時等）としてもよい。
【００４５】
Ｓ２５では管理システム１における電力の需給量を予測する。予測の手法は第一実施形態で説明した通りである。すなわち、電気装置５〜８の種類に対応した蓄電量の代表値を目安として、交流電力線２に接続されているエネルギリソースの規模を推定する。その際、電気装置５〜８の状態が充電か放電かを区別することにより、電力需要量（充電量）又は電力供給量（放電量）を予測することができる。予測の範囲は、その後の所定時間内での需給量であってもよい。例えば、その後の数時間以内の需給量、或いは、半日以内の需給量であってもよい。予測の対象は、電力需要量か電力供給量の一方のみであってもよい。
【００４６】
Ｓ２６では、通信回路４７によりアグリゲータ１４にＳ２５の予測結果を送信する。以上により一回の処理が終了する。アグリゲータ１４は、受信した予測結果をその後の電力運用に役立てることができる。
【００４７】
＜他の実施形態＞
第一実施形態から第五実施形態は適宜組合せが可能である。
【００４８】
＜実施形態のまとめ＞
１．上記実施形態の管理装置(例えば4)は、
蓄電手段(例えば5a-8a)を備える電気装置(例えば5-8)が接続可能な複数の接続ポート(例えば3)が設けられた交流電力線(例えば2)に接続される管理装置であって、
前記交流電力線上の電気信号を計測する計測手段(例えば44)と、
前記計測手段の計測結果に基づいて、前記接続ポートを介して前記交流電力線に接続されている前記電気装置の種類を判別する判別手段(例えば41)と、を備える。
【００４９】
この実施形態によれば、どのような前記電気装置が交流電力線に接続されているかを監視可能な技術を提供することができる。
【００５０】
２．上記実施形態の管理装置(例えば4)は、
前記判別手段の判別結果に基づいて、前記交流電力線における電力需要量を予測する予測手段(例えば41,S25)を備える。
【００５１】
この実施形態によれば、予測した電力需要量をＶＰＰ等において活用することができる。
【００５２】
３．上記実施形態の管理装置(例えば4)は、
前記判別手段の判別結果に基づいて、前記交流電力線における電力供給量を予測する予測手段(例えば41,S25)を備える。
【００５３】
この実施形態によれば、予測した電力供給量をＶＰＰ等において活用することができる。
【００５４】
４．上記実施形態の管理装置(例えば4)は、
各々の前記接続ポートに設けた信号送信手段(例えば9,10)から送信される、該接続ポートを識別する識別信号に基づいて、前記判別手段で種類を判別した前記電気装置と、該電気装置が接続されている前記接続ポートとの対応関係を特定する特定手段(例えば41,S13)を更に備える。
【００５５】
この実施形態によれば、前記接続ポートと前記電気装置との接続関係を特定できるため、例えば、接続されている前記電気装置のユーザーの特定が容易になる。また、需給バランスの調整を図る際に、接続されている前記電気装置の充放電設定を変更する等の措置が取りやすくなる。
【００５６】
５．上記実施形態では、
前記管理装置は、前記接続ポートに脱着可能である。
【００５７】
この実施形態によれば、前記管理装置が可搬式であることにより、前記交流電力線及び前記複数の接続ポートを備えた別の電力網において、前記管理装置を利用することも可能となる。
【００５８】
６．上記実施形態では、
前記判別手段は、前記電気装置の種類として電動車両(例えば7,8)を判別可能である。
【００５９】
この実施形態によれば、前記電動車両を電力の充電先又は供給元として判別することができる。
【００６０】
７．上記実施形態では、
前記判別手段は、前記交流電力線上の交流電圧又は交流電流の少なくともいずれか一方に基づいて、前記電気装置の種類を推定する。
【００６１】
この実施形態によれば、前記電気装置の種類の判別に必要な構成を少なくすることができる。
【００６２】
８．上記実施形態の方法は、
蓄電手段(例えば5a-8a)を備える電気装置(例えば5-8)が接続可能な複数の接続ポート(例えば3)を有する交流電力線(例えば2)上の電気信号を計測する計測工程(例えばS1,S11,S21)と、
前記計測工程の計測結果に基づいて、前記接続ポートを介して前記交流電力線に接続されている前記電気装置の種類を判別する判別工程(例えばS2,S12,S22)と、を備える。
【００６３】
この実施形態によれば、どのような前記電気装置が交流電力線に接続されているかを監視可能な技術を提供することができる。
【符号の説明】
【００６４】
２  交流電力線、３  接続ポート、４  管理装置、５〜８  電気装置
【図１】
2019165585.tif 000003
【図２】
2019165585.tif 000004
【図３】
2019165585.tif 000005
【図４】
2019165585.tif 000006
【図５】
2019165585.tif 000007
【図６】
2019165585.tif 000008
【図７】
2019165585.tif 000009
【図８】
2019165585.tif 000010